(57)【要約】  【課題】  バックライト装置の点灯時に発生する拡散板の反りを防止する。  【解決手段】  浅底箱状の筐体１内に光源２を配置し該光源２の前方に樹脂からなる矩形の拡散板３を配置したバックライト装置において、前記拡散板３の相対する長辺のそれぞれの略中間位置を前記筐体１側に係止するとともに、前記拡散板３の相対する短辺部をそれぞれ前方に湾曲させて前記略中間位置よりも前方に適距離突出した位置に係止する。さらには、前記拡散板３の４辺のそれぞれの略中間位置を前記筐体１側に係止するとともに、前記拡散板３の各角部をそれぞれ前方に湾曲させて前記略中間位置よりも前方に適距離突出した位置に係止することも可能である。【選択図】  図３
2005243377.tif 000002
【特許請求の範囲】
【請求項１】
光源の前方に樹脂からなる拡散板を配置したバックライト装置において、
バックライト点灯時に前記拡散板に発生する反りの方向の反対方向に、予め前記拡散板を湾曲させたことを特徴とするバックライト装置。
【請求項２】
浅底箱状の筐体内に光源を配置し該光源の前方に樹脂からなる矩形の拡散板を配置したバックライト装置において、
前記拡散板の相対する長辺のそれぞれの略中間位置を前記筐体側に係止するとともに、前記拡散板の相対する短辺部をそれぞれ前方に湾曲させて前記略中間位置よりも前方に適距離突出した位置に係止したことを特徴とするバックライト装置。
【請求項３】
浅底箱状の筐体内に光源を配置し該光源の前方に樹脂からなる矩形の拡散板を配置したバックライト装置において、
前記拡散板の４辺のそれぞれの略中間位置を前記筐体側に係止するとともに、前記拡散板の各角部をそれぞれ前方に湾曲させて前記略中間位置よりも前方に適距離突出した位置に係止したことを特徴とするバックライト装置。
【請求項４】
請求項２または３に記載のバックライト装置において、
前記拡散板の略中間位置に対向する前記筐体の縁部を突出させて折り返すとともに該折り返し部により前記拡散板を係止したことを特徴とするバックライト装置。
【請求項５】
請求項２または３に記載のバックライト装置において、
前記拡散板の略中間位置に透孔を形成し該透孔にビスを挿入して前記筐体の縁部に螺着することにより前記拡散板を係止したことを特徴とするバックライト装置。
【請求項６】
請求項２または３に記載のバックライト装置において、
前記拡散板の略中間位置であって拡散板と前記筐体の縁部との外側に断面コ字形の留め具を嵌着して前記拡散板を係止したことを特徴とするバックライト装置。
【発明の詳細な説明】
【技術分野】
【０００１】
本発明は、液晶テレビ等の光源として用いられるバックライト装置に関し、詳しくはバックライト装置を構成する拡散板が温度上昇や湿気吸収により端部に反りが発生しようとしても、それを強制的に規制することにより、光学シートにしわが発生しないように支持して均一な輝度が得られるバックライト装置に関する。
【背景技術】
【０００２】
従来、液晶テレビ等の液晶表示装置に用いられるバックライト装置は、図６に示されるように、浅底箱状の反射板ベースプレート１内に光源である蛍光ランプ２を等間隔で配置し、その前方にアクリル板等からなる拡散板３を配置しその前面にＩＴＯシート、拡散フィルム、プリズムシート、反射偏光フィルム等の光学シート４を配置している。これら拡散板、各光学シートは互いに異なる材質からなるためそれぞれの膨張率が異なる。そのため、バックライト装置が点灯される度に、温度上昇して互いに異なる伸び量で膨張する。このとき各光学シートが互いに密着した状態にあると、バイメタルのように一方に反り返る現象が起こり、しわが発生してしまう。
【０００３】
しわが発生すると、その前面の液晶パネルに陰が映り、輝度が不均一になるという問題が発生した。その対策として従来は、バックライト装置の照射面が垂直に支持される場合は、拡散板の上端部が当接する反射板ベースプレートの当接面に複数のピンを突設して、上端に孔を形成した拡散板、各光学シートをそのピンに係止し、拡散板、各光学シートをその自重で吊り下げた状態で保持していた。この状態では、各光学シートに厚み方向に外力が加わらずに、各光学シートは互いに自由に伸縮できるように保持されている。また、これら光学シートの端部をしわを発生することなく保持する技術として特許文献１に記載の液晶表示装置がある。
【特許文献１】特開平１１−２８１９６６号公報
【発明の開示】
【発明が解決しようとする課題】
【０００４】
ところで、液晶表示装置のバックライト装置では、光学シートのしわの発生原因として、上述した以外に、光学シートの背面に支持されている拡散板の湿気による影響がある。詳しくは、バックライト装置が置かれている雰囲気は完全な乾燥空気ではなく、その日の天候により増減する量の水分すなわち湿気が含まれており、その水分が比較的吸水性の大きい拡散板に吸収されている。その拡散板に吸収されている水分の量は、その日の雰囲気の湿度や、拡散板自体の温度により変化する。特に、バックライト装置の点灯開始時は、拡散板の表面側と背面側の間に温度勾配を生じて、表面側と背面側の間には吸収している水分量が大きく異なる時がある。
【０００５】
その結果、拡散板の表面側と背面側とでは、吸水して膨張する膨潤量の差が大きくなり片側に反るという現象が発生する。この現象は拡散板の表面側と背面側の温度勾配による熱膨張の影響も加わるため、複雑な挙動となることもあるが、通常の使用環境では拡散板の中央部分が前方に膨らみ、その反動として拡散板の周囲部分が後方に反るという傾向にある。このように、拡散板に反りが発生すると、拡散板の前面に自然吊り下げにより支持されている光学シートがその前面に配置されている液晶パネルとの間に挟まれてしまい、自由に伸びることができなくなる。また、拡散板の周囲も反りのため一部は前方に一部は後方に変形して、拡散板と一緒に押さえ金具に支持されている光学シートが拡散板に押圧されて、自由に移動できなくなる。
【０００６】
その結果、光学シートの熱膨張した分がしわとなり、その前面の液晶パネルに陰が映り、輝度が不均一になるという問題が発生した。このように、拡散板に反りが発生する一つの要因として、拡散板が雰囲気の相対湿度の変化により水分の吸収と放出をする際に、拡散板中の厚み方向にいわば含水率の大小の勾配を生じて、その含水率の差に応じた膨張量に違いにより拡散板が反るということが推定できる。その対策として、反りの発生する以前に、発生する反りと反対方向に、予め拡散板を機械的に湾曲させておくことが考えられる。そこで、本発明は、平常時に平面であって矩形をした拡散板に、発生する反りの方向と反対方向に加圧して、バックライト装置の点灯開始時に発生する反りを打ち消すことにより輝度を安定させることを目的とした。
【課題を解決するための手段】
【０００７】
上記課題を解決するために、本発明は、光源の前方に樹脂からなる拡散板を配置したバックライト装置において、バックライト点灯時に前記拡散板に発生する反りの方向の反対方向に、予め前記拡散板を湾曲させたことを特徴とする。詳しくは、浅底箱状の筐体内に光源を配置し該光源の前方に樹脂からなる矩形の拡散板を配置したバックライト装置において、前記拡散板の相対する長辺のそれぞれの略中間位置を前記筐体側に係止するとともに、前記拡散板の相対する短辺部をそれぞれ前方に湾曲させて前記略中間位置よりも前方に適距離突出した位置に係止する。また、浅底箱状の筐体内に光源を配置し該光源の前方に樹脂からなる矩形の拡散板を配置したバックライト装置において、前記拡散板の４辺のそれぞれの略中間位置を前記筐体側に係止するとともに、前記拡散板の各角部をそれぞれ前方に湾曲させて前記略中間位置よりも前方に適距離突出した位置に係止する。
【０００８】
ここで、前記拡散板の略中間位置に対向する前記筐体の縁部を突出させて折り返すとともに該折り返し部により前記拡散板を係止することが可能である。また、前記拡散板の略中間位置に透孔を形成し該透孔にビスを挿入して前記筐体の縁部に螺着することにより前記拡散板を係止することが可能である。また、前記拡散板の略中間位置であって拡散板と前記筐体の縁部との外側に断面コ字形の留め具を嵌着して前記拡散板を係止することが可能である。
【発明の効果】
【０００９】
以上述べたように本発明によれば、光源の前方に樹脂からなる拡散板を配置したバックライト装置において、バックライト点灯時に前記拡散板に発生する反りの方向の反対方向に予め前記拡散板を湾曲させたことで、バックライトが点灯されて拡散板が反ろうとしても、規制されているため反ることが不可能となる。その結果、光学シートが拡散板の反りによって押圧されてしわを発生することがなくなり、バックライトの輝度が安定する。
【発明を実施するための最良の形態】
【００１０】
以下、図に基づいて本発明の実施形態を説明する。
図１は本発明に係るバックライト装置の正面図であり、図２は図１のＡ−Ａ線断面図であり、図３は図１のＢ−Ｂ線断面図である。これらの図において、１はバックライト装置の筐体であるところの浅底箱状をした反射板ベースプレートであり、その内側に光源である蛍光ランプ２を等間隔で配置し、その前方にアクリル板等からなる矩形の拡散板３を配置し、その前面に図示しないがＩＴＯシート、拡散フィルム、プリズムシート、反射偏光フィルム等の光学シートが配置される。なお、図中の４は、拡散板３の中央部分が内側の蛍光ランプ２側に反ろうとしたときにそれを阻止するピンである。
【００１１】
ここで、拡散板３の上下の長辺の中央部分で、反射板ベースプレート１の縁を突出させて内側に折り返し、その折り返し部１ａ，１ｂにより、拡散板３を内側に湾曲させた状態で係止する。拡散板３の左右の垂直方向の短辺部分は、拡散板３の中央部分が後方に押圧されたことで、同様に、後方に向かおうとする力が発生するが、短辺部分は反射板ベースプレート１の縁部分に当接して支持される。このとき、短辺部分に当接する反射板ベースプレート１の縁部分は、折り返し部１ａ，１ｂよりも前方に適距離突出されている。その結果、拡散板３は、図３の断面図の矢印に示されるように、中央部分が後方に押圧され、両端部分が前方に押圧されることにより、前方向に凹型に湾曲される。これは、バックライト装置の点灯時に発生する拡散板３の前方向に凸型の湾曲形状と反対の形状であり、このように予め、発生する湾曲形状と反対方向に拡散板３を湾曲させたことで、バックライト装置の点灯時に拡散板３が湾曲することを阻止することが可能となる。その結果、拡散板３の前面に配置される光学シートが、拡散板３の湾曲のために押圧されることがなくなってしわも発生せずに、バックライト装置の輝度が安定することになる。
【００１２】
図４は拡散板３の中央部分における係止部の他の形態を示す断面図である。図示例は、拡散板３の上下の長辺のそれぞれの中央部分に透孔を形成し、そこへビス５を挿入して、反射板ベースプレート１の縁に螺着したものである。この場合は、図２に例に比べ反射板ベースプレート１の縁を突出させることが不要となるとともに、拡散板３を確実に反射板ベースプレート１に固定することができる。
【００１３】
図５は拡散板３の中央部分における係止部の他の形態を示す断面図である。図示例は、拡散板３の上下の長辺のそれぞれの中央部分と、反射板ベースプレート１の縁との外側に、断面断面コ字形の留め具６を嵌着して、拡散板３を係止したものである。この場合は、図４に例に比べ、拡散板３に透孔を形成することが不要となる。
【００１４】
なお、上述の実施形態は、いずれも拡散板３の長辺の中央部分を反射板ベースプレート１の縁に係止したものであるが、それに加えて、拡散板３の短辺の中央部分を反射板ベースプレート１の縁に係止し、拡散板３の４箇所の角部を前方に突出させて支持することも可能である。
【産業上の利用可能性】
【００１５】
本発明は、液晶表示装置用のバックライト装置以外の他の表示形式のバックライト装置にも利用可能である。
【図面の簡単な説明】
【００１６】
【図１】本発明に係るバックライト装置の正面図である。
【図２】図１のＡ−Ａ線断面図である。
【図３】図１のＢ−Ｂ線断面図である。
【図４】拡散板の中央部分における係止部の他の形態を示す断面図である。
【図５】拡散板の中央部分における係止部の他の形態を示す断面図である。
【図６】従来例を示す断面図である。
【符号の説明】
【００１７】
１  反射板ベースプレート
１ａ，１ｂ  折り返し部
２  蛍光ランプ
３  拡散板
４  ピン
５  ビス
６  留め具
【図１】
2005243377.tif 000003
【図２】
2005243377.tif 000004
【図３】
2005243377.tif 000005
【図４】
2005243377.tif 000006
【図５】
2005243377.tif 000007
【図６】
2005243377.tif 000008